(57)【特許請求の範囲】
【請求項１】
一定の長さを有するプレキャスト桁であって、
このプレキャスト桁には、杭を貫通する貫通孔を複数個所に開口し、
この貫通孔はプレキャスト桁を水平に設置した際に鉛直でない角度になるように形成した傾斜貫通孔と、プレキャスト桁を水平に設置した際に鉛直方向になるように形成した鉛直貫通孔と、からなり、
このプレキャスト桁の両側面に、鋼製の梁を沿わせ、
プレキャスト桁を横断する横断桁により両梁の上部を連結して一体化し、
プレキャスト桁と横断桁を固定具により着脱自在に連結して補強することを特徴とする、
水上構造物の構築部材。
【請求項２】
一定の長さを有するプレキャスト桁であって、
プレキャスト桁には、杭を貫通する貫通孔を複数個所に開口し、
この貫通孔はプレキャスト桁を水平に設置した際に鉛直でない角度になるように形成した傾斜貫通孔と、プレキャスト桁を水平に設置した際に鉛直方向になるように形成した鉛直貫通孔と、からなり、
このプレキャスト桁の両側面に、鋼製の梁を沿わせ、プレキャスト桁を横断する横断桁により両梁の上部を連結して一体化し、プレキャスト桁と横断桁を固定具により着脱自在に連結して補強した構築部材を使用し、
水底に鉛直に複数本の直杭を打設し、
打設した複数本の直杭を、前記の構築部材の鉛直貫通孔に挿入して設置し、
その後に、構築部材の傾斜貫通孔をガイドにして、新たな斜杭を打設して行なう、
水上構造物の構築方法。
【請求項３】
一定の長さを有するプレキャスト桁であって、
プレキャスト桁には、杭を貫通する貫通孔を複数個所に開口し、
この貫通孔はプレキャスト桁を水平に設置した際に鉛直でない角度になるように形成した傾斜貫通孔と、プレキャスト桁を水平に設置した際に鉛直方向になるように形成した鉛直貫通孔と、からなり、
このプレキャスト桁の両側面に、鋼製の梁を沿わせ、プレキャスト桁を横断する横断桁により両梁の上部を連結して一体化し、プレキャスト桁と横断桁を固定具により着脱自在に連結して補強した構築部材を使用し、
水底に鉛直に複数本の直杭を打設し、
打設した複数本の直杭を、前記の構築部材の鉛直貫通孔に挿入して設置し、
その後に、構築部材の傾斜貫通孔をガイドにして、新たな斜杭を打設して構築部材を設置し、
同様の工程によって複数本の構築部材を設置した後、
隣接する構築部材の間に床面を形成する、
水上構造物の構築方法。
【発明の詳細な説明】
【０００１】
【発明の属する技術分野】
本発明は水上構造物の構築部材と構築方法に関するものである。
【０００２】
【従来の技術】
桟橋などの水上構造物を構築する場合に、構造物の支持を斜杭によって行なう方法が採用されている。このような斜杭は、波浪による水平力を周囲から受ける構造物を支持する方法として有利である。
またコンクリート製の上部工において、現場施工効率を高めるためにプレキャスト桁を使用することがあるが、従来は杭を先行打設し、杭頭部のコンクリートを現場打設してからプレキャスト桁で接続する方法を採用していた。
【０００３】
【発明が解決しようとする課題】
しかし、前記したような斜杭を利用する方法は、正確な角度で打設しにくいという問題があった。特に波浪の影響の大きい海洋構造物においては、打設船の動揺もあり、打設効率の悪い方法であった。
また現場打ちコンクリートの施工部が多くなり、工期、工費が大きくかかる方法であった。
【０００４】
【本発明の目的】
本発明は、上記のような問題を解決するためになされたもので、正確な角度で効率よく斜杭を打設して、短い工期で強固な水上構造物を得ることができる、水上構造物の構築部材と構築方法を提供することを目的とする。
【０００５】
【課題を解決するための手段】
上記のような目的を達成するために本発明の水上構造物の構築部材は、一定の長さを有するプレキャスト桁であって、プレキャスト桁には、杭を貫通する貫通孔を複数個所に開口し、この貫通孔はプレキャスト桁を水平に設置した際に鉛直でない角度になるように形成した傾斜貫通孔と、プレキャスト桁を水平に設置した際に鉛直方向になるように形成した鉛直貫通孔と、からなり、このプレキャスト桁の両側面に、鋼製の梁を沿わせ、プレキャスト桁を横断する横断桁により両梁の上部を連結して一体化し、プレキャスト桁と横断桁を固定具により着脱自在に連結して補強した、水上構造物の構築部材である。
【０００７】
さらに本発明の水上構造物の構築方法は、一定の長さを有するプレキャスト桁であって、プレキャスト桁には、杭を貫通する貫通孔を複数個所に開口し、この貫通孔はプレキャスト桁を水平に設置した際に鉛直でない角度になるように形成した傾斜貫通孔と、プレキャスト桁を水平に設置した際に鉛直方向になるように形成した鉛直貫通孔と、からなり、このプレキャスト桁の両側面に、鋼製の梁を沿わせ、プレキャスト桁を横断する横断桁により両梁の上部を連結して一体化し、プレキャスト桁と横断桁を固定具により着脱自在に連結して補強した構築部材を使用し、水底に鉛直に複数本の直杭を打設し、打設した複数本の直杭を、前記の構築部材の鉛直貫通孔に挿入して設置し、その後に、構築部材の傾斜貫通孔をガイドにして、新たな斜杭を打設して行なう、水上構造物の構築方法である。
【０００８】
さらに本発明の水上構造物の構築方法は、一定の長さを有するプレキャスト桁であって、プレキャスト桁には、杭を貫通する貫通孔を複数個所に開口し、この貫通孔はプレキャスト桁を水平に設置した際に鉛直でない角度になるように形成した傾斜貫通孔と、プレキャスト桁を水平に設置した際に鉛直方向になるように形成した鉛直貫通孔と、からなり、このプレキャスト桁の両側面に、鋼製の梁を沿わせ、プレキャスト桁を横断する横断桁により両梁の上部を連結して一体化し、プレキャスト桁と横断桁を固定具により着脱自在に連結して補強した構築部材を使用し、水底に鉛直に複数本の直杭を打設し、打設した複数本の直杭を、前記の構築部材の鉛直貫通孔に挿入して設置し、その後に、構築部材の傾斜貫通孔をガイドにして、新たな斜杭を打設して構築部材を設置し、同様の工程によって複数本の構築部材を設置した後、隣接する構築部材の間に床面を形成する、水上構造物の構築方法である。
【０００９】
【発明の実施の形態】
以下図面にもとづいて本発明の一実施例を説明する。
【００１０】
＜イ＞構築部材。
まず、本発明の構築方法に使用する構築部材１について説明する。
この構築部材１は、一定の長さを有するプレキャスト桁によって構成する。
そしてこのプレキャスト桁には、複数箇所に傾斜貫通孔１１を開口する。
傾斜貫通孔１１は、プレキャスト桁の面と直交しない角度、すなわちプレキャスト桁を水平に設置した場合に鉛直でない角度になるように形成する。
傾斜貫通孔１１を、プレキャスト桁を水平に設置した場合に鉛直でない角度になるように形成するのは、後述する斜杭２を打設する際に傾斜貫通孔１１を貫通させて、斜杭２の打設角度のガイドとして利用するためである。
このように傾斜貫通孔１１をガイドにして杭を打設すれば、正確な角度、方向の斜杭２を迅速に打設することができる。
【００１１】
＜ロ＞鋼製補強梁。
プレキャスト桁よりなる構築部材１には、少なくともその側面、あるいは上下面に、鋼製の補強梁５を沿わせて補強する。プレキャストコンクリートで製造した 構築部材１の両側に、鋼製補強梁５を沿わせることで、強度を大きく向上させることができる。鋼製補強梁５は、例えば市場で容易に入手できる簡易なトラスを 組み合わせて簡単に形成することができる。構築部材１の両側に沿わせた鋼製補強梁５は、その上部を構築部材１を横断する鋼製横断桁５１で連結して両側の鋼 製補強梁５を一体化する。また、鋼製補強梁５および鋼製横断桁５１は、構築部材１とボルトなどで連結し、構築部材１を十分に補強できる構造とする。なお、 鋼製補強梁５は、繰り返し転用することができる。
【００１２】
＜ハ＞直杭３の打設。
水上構造物を構築する位置に、複数本の直杭３を打設する。
直杭３の打設位置、打設間隔は、前記の構築部材１の配置や寸法などから決定する。
直杭３は構築部材１を設置する際のガイドともなるため、正確な位置、方向に打設する。
【００１３】
＜ニ＞構築部材１の設置。
水底に打設した複数本の直杭３の上に、前記の構築部材１を設置する。
そのために、構築部材１の底面には、直杭３の頭部を受け入れる嵌合口を形成しておき、この嵌合口に直杭３の頭部を嵌合する。
あるいは図の実施例のように、構築部材１には、傾斜貫通工１とは別に、鉛直方向に開口した鉛直貫通孔１２を開口しておく。
そしてこの鉛直貫通工２に、直杭３の頭部を挿入して固定して設置することもできる。
構築部材１の延長線上に、さらに次の構築部材１を設置する。こうして延長した構築部材１と次の構築部材１との間は場所打ちコンクリートで連結することもできる。
【００１４】
＜ホ＞斜杭２の打設。
構築部材１は、複数の位置で直杭３で支持しているから、一応安定した姿勢を維持して水面上に配置してある。
この構築部材１の傾斜貫通孔１１に斜杭２を貫通させる。そしてその先端を水底に到達させる。
傾斜貫通孔１１は所定の角度で形成してあるから、その傾斜貫通孔１１をガイドとすれば、斜杭２は正確な方向に向けて姿勢を維持される。
その状態で斜杭２の頭部を油圧ハンマーで打撃すれば、斜杭２は特殊な熟練や特別な測定機器を使用せずに迅速に正確な方向へ打設することができる。
なお図の実施例のように、構築部材１に表面と直交する方向の鉛直貫通孔１２を構築部材１の中間にも開口しておけば、それらの鉛直貫通孔１２をガイドとして、中間の直杭３を迅速、正確に打設することもできる。
【００１５】
＜ヘ＞複数の構築部材１の設置。
同様の工程によって、複数の構築部材１を等間隔で、あるいは不等間隔で水上に設置する。
そして隣接する構築部材１の間に横断部材４を掛け渡す。横断部材４は例えばＰＣプレキャスト桁やＰＣ版で構成する。
掛け渡した横断部材４の上に場所打ちコンクリートを打設することもできる。
こうして多数本の斜杭２と直杭３および構築部材１を基礎のプレキャスト桁とした、水上構造物の構築が完了する。
【００１６】
【本発明の効果】
本発明は上記したように、いったん水上に設置した構築部材の傾斜貫通孔から斜杭を打設する部材と、方法である。
そのために正確な角度、方向に、迅速に斜杭を打設して強固な水上構造物を構築することができる。
その結果、工期を大幅に短縮することができ、コストも削減することができる。
またプレキャストの桁を使用して構築するため、足場の不便な水上での作業、すなわち支保工、鉄筋、型枠の組み立て、解体作業が不要となり、コンクリートの品質の向上も図れる。
同様の理由で、工期を大幅に短縮することができ、コストも削減することができる。
【図面の簡単な説明】
【図１】本発明の水上構造物の構築に使用する構築部材の実施例の説明図。
【図２】構築部材を直杭に設置する状態の説明図。
【図３】構築部材の貫通孔をガイドに斜杭を打設する場合の説明図。
【図４】複数の構築部材によって水上構造物を構築する状態の説明図。
【図１】
0004516235.tif 000002
【図２】
0004516235.tif 000003
【図３】
0004516235.tif 000004
【図４】
0004516235.tif 000005